(57)【特許請求の範囲】
【請求項１】
無線通信方法であって、
リソース・ブロック（ＲＢ）のセットの一部分に使用するための第１のプリコーディング・マトリクスを決定することであって、前記第１のプリコーディング・マトリクスはビームフォーミング・ベクトルのセットを含む、決定することと、
変更されたプリコーディング・マトリクスを生成するために、位相回転を適用することによって前記ビームフォーミング・ベクトルのセットのうちのある数のビームフォーミング・ベクトルを変更することであって、変更されるビームフォーミング・ベクトルの前記数は、前記第１のプリコーディング・マトリクスのビームフォーミング・ベクトルの数よりも少なくとも１少ない、変更することと、
２つ以上のアンテナを使用する送信のために、前記ＲＢのセットの一部分に関連づけられた１つまたは複数の復調基準信号およびデータに、前記変更されたプリコーディング・マトリクスを適用することと
を備え、
前記変更することはさらに、２つ以上の直交周波数領域変調（ＯＦＤＭ）シンボルにわたる送信電力のばらつきを減じるように前記位相回転を選択することを含む、方法。
【請求項２】
前記少なくとも１つのアンテナを使用して前記１つまたは複数の復調基準信号および前記データを送信することをさらに含む、請求項１に記載の方法。
【請求項３】
前記決定することはさらに、基地局に関連づけられたデータベースから前記プリコーディング・マトリクスを得ることを含む、請求項１に記載の方法。
【請求項４】
１つまたは複数のユーザ機器（ＵＥ）からのチャネル品質インジケータ（ＣＱＩ）フィードバックと、１つまたは複数のＵＥからのプリコーディング・マトリクス・インデクス（ＰＭＩ）フィードバックと、基地局によって検出されたチャネル測定値と、のうちの少なくとも１つのための情報を得ることと、
前記得られた情報に基づいて、前記プリコーディング・マトリクスを決定することと
をさらに含む、請求項１に記載の方法。
【請求項５】
前記２つ以上のＯＦＤＭシンボルの各々は、前記１つまたは複数の復調基準信号のうちの１つを伝達するために使用される、請求項１に記載の方法。
【請求項６】
前記適用することはさらに、
第１のバンドリング・グループおよび第２のバンドリング・グループを生成することであって、前記第１のバンドリング・グループおよび前記第２のバンドリング・グループは前記ＲＢのセットのうちのＲＢの異なるサブセットを含む、生成することと、
前記第１のバンドリング・グループに前記変更されたプリコーディング・マトリクスを適用し、前記第２のバンドリング・グループに前記第１のプリコーディング・マトリクスを適用することと
を含む、請求項１に記載の方法。
【請求項７】
前記第１のバンドリング・グループおよび前記第２のバンドリング・グループをユーザ機器（ＵＥ）に送信することをさらに含み、ここにおいて、前記ＵＥは、前記第１のバンドリング・グループおよび前記第２のバンドリング・グループの各々にわたる同時チャネル推定を実行することが可能である、請求項６に記載の方法。
【請求項８】
無線通信のための装置であって、
リソース・ブロック（ＲＢ）のセットの一部分に使用するための第１のプリコーディング・マトリクスを決定するための手段であって、前記第１のプリコーディング・マトリクスはビームフォーミング・ベクトルのセットを含む、手段と、
変更されたプリコーディング・マトリクスを生成するために、位相回転を適用することによって前記ビームフォーミング・ベクトルのセットのうちのある数のビームフォーミング・ベクトルを変更するための手段であって、変更されるビームフォーミング・ベクトルの前記数は、前記第１のプリコーディング・マトリクスのビームフォーミング・ベクトルの数よりも少なくとも１少ない、変更するための手段と、
２つ以上のアンテナを使用する送信のために、前記ＲＢのセットの一部分に関連づけられた１つまたは複数の復調基準信号およびデータに、前記変更されたプリコーディング・マトリクスを適用するための手段と
を備え、
前記変更するための手段はさらに、２つ以上のＯＦＤＭシンボルにわたる送信電力のばらつきを減じるように前記位相回転を選択するための手段を含む、装置。
【請求項９】
前記少なくとも１つのアンテナを使用して前記１つまたは複数の復調基準信号および前記データを送信するための手段をさらに含む、請求項８に記載の装置。
【請求項１０】
前記決定するための手段はさらに、基地局に関連づけられたデータベースから前記プリコーディング・マトリクスを得るための手段を含む、請求項８に記載の装置。
【請求項１１】
１つまたは複数のユーザ機器（ＵＥ）からのＣＱＩフィードバックと、１つまたは複数のＵＥからのＰＭＩフィードバックと、基地局によって検出されたチャネル測定値と、のうちの少なくとも１つのための情報を得るための手段と、
前記得られた情報に基づいて、前記プリコーディング・マトリクスを決定するための手段と
をさらに含む、請求項８に記載の装置。
【請求項１２】
前記２つ以上のＯＦＤＭシンボルの各々は、前記１つまたは複数の復調基準信号のうちの１つを伝達するために使用される、請求項８に記載の装置。
【請求項１３】
前記適用するための手段はさらに、
第１のバンドリング・グループおよび第２のバンドリング・グループを生成するための手段であって、前記第１のバンドリング・グループおよび前記第２のバンドリング・グループは前記ＲＢのセットのうちのＲＢの異なるサブセットを含む、手段と、
前記第１のバンドリング・グループに前記変更されたプリコーディング・マトリクスを適用し、前記第２のバンドリング・グループに前記第１のプリコーディング・マトリクスを適用するための手段と
を含む、請求項８に記載の装置。
【請求項１４】
前記第１のバンドリング・グループおよび前記第２のバンドリング・グループをユーザ機器（ＵＥ）に送信するための手段をさらに含み、ここにおいて、前記ＵＥは、前記第１のバンドリング・グループおよび前記第２のバンドリング・グループの各々にわたる同時チャネル推定を実行することが可能である、請求項１３に記載の装置。
【請求項１５】
コンピュータ・プログラムであって、
コンピュータに、リソース・ブロック（ＲＢ）のセットの一部分に使用するための第１のプリコーディング・マトリクスを決定させるための命令であって、前記第１のプリコーディング・マトリクスはビームフォーミング・ベクトルのセットを含む、命令と、
前記コンピュータに、変更されたプリコーディング・マトリクスを生成するために、位相回転を適用することによって前記ビームフォーミング・ベクトルのセットのうちのある数のビームフォーミング・ベクトルを変更させるための命令であって、変更されるビームフォーミング・ベクトルの前記数は、前記第１のプリコーディング・マトリクスのビームフォーミング・ベクトルの数よりも少なくとも１少ない、変更させるための命令と、
前記コンピュータに、２つ以上のアンテナを使用する送信のために、前記ＲＢのセットの一部分に関連づけられた１つまたは複数の復調基準信号およびデータに、前記変更されたプリコーディング・マトリクスを適用させるための命令と、
前記コンピュータに、２つ以上のＯＦＤＭシンボルにわたる送信電力のばらつきを減じるように前記位相回転を選択させるための命令と
を備える、コンピュータ・プログラム。
【請求項１６】
前記コンピュータに、前記少なくとも１つのアンテナを使用して前記１つまたは複数の復調基準信号および前記データを送信させるための命令をさらに含む、請求項１５に記載のコンピュータ・プログラム。
【請求項１７】
前記コンピュータに、基地局に関連づけられたデータベースから前記プリコーディング・マトリクスを得させるための命令をさらに含む、請求項１５に記載のコンピュータ・プログラム。
【請求項１８】
前記コンピュータに、１つまたは複数のユーザ機器（ＵＥ）からのＣＱＩフィードバックと、１つまたは複数のＵＥからのＰＭＩフィードバックと、基地局によって検出されたチャネル測定値と、のうちの少なくとも１つのための情報を得させるための命令と、
前記コンピュータに、前記得られた情報に基づいて、前記プリコーディング・マトリクスを決定させるための命令と
をさらに含む、請求項１５に記載のコンピュータ・プログラム。
【請求項１９】
前記２つ以上のＯＦＤＭシンボルの各々は、前記１つまたは複数の復調基準信号のうちの１つを伝達するために使用される、請求項１５に記載のコンピュータ・プログラム。
【請求項２０】
前記コンピュータに、第１のバンドリング・グループおよび第２のバンドリング・グループを生成させるための命令であって、前記第１のバンドリング・グループおよび前記第２のバンドリング・グループは前記ＲＢのセットのうちのＲＢの異なるサブセットを含む、命令と、
前記コンピュータに、前記第１のバンドリング・グループに前記変更されたプリコーディング・マトリクスを適用させ、前記第２のバンドリング・グループに前記第１のプリコーディング・マトリクスを適用させるための命令と
をさらに含む、請求項１５に記載のコンピュータ・プログラム。
【請求項２１】
前記コンピュータに、前記第１のバンドリング・グループおよび前記第２のバンドリング・グループをユーザ機器（ＵＥ）に送信させるための命令をさらに含み、ここにおいて、前記ＵＥは、前記第１のバンドリング・グループおよび前記第２のバンドリング・グループの各々にわたる同時チャネル推定を実行することが可能である、請求項２０に記載のコンピュータ・プログラム。
【請求項２２】
無線通信のための装置であって、
少なくとも１つのプロセッサであって、
リソース・ブロック（ＲＢ）のセットの一部分に使用するための第１のプリコーディング・マトリクスを決定し、ここにおいて、前記第１のプリコーディング・マトリクスは、ビームフォーミング・ベクトルのセットを含む、
変更されたプリコーディング・マトリクスを生成するために、位相回転を適用することによって前記ビームフォーミング・ベクトルのセットのうちのある数のビームフォーミング・ベクトルを変更し、ここにおいて、変更されるビームフォーミング・ベクトルの前記数は、前記第１のプリコーディング・マトリクスのビームフォーミング・ベクトルの数よりも少なくとも１少ない、
２つ以上のアンテナを使用する送信のために、前記ＲＢのセットの一部分に関連づけられた１つまたは複数の復調基準信号およびデータに、前記変更されたプリコーディング・マトリクスを適用する
ように構成された少なくとも１つのプロセッサと、
前記少なくとも１つのプロセッサに結合されたメモリと
を備え、
前記少なくとも１つのプロセッサはさらに、２つ以上のＯＦＤＭシンボルにわたる送信電力のばらつきを減じるように前記位相回転を選択するように構成される、装置。
【請求項２３】
前記少なくとも１つのプロセッサはさらに、前記少なくとも１つのアンテナを使用して前記１つまたは複数の復調基準信号および前記データを送信するように構成される、請求項２２に記載の装置。
【請求項２４】
前記少なくとも１つのプロセッサはさらに、基地局に関連づけられたデータベースから前記プリコーディング・マトリクスを得るように構成される、請求項２２に記載の装置。
【請求項２５】
前記少なくとも１つのプロセッサはさらに、
１つまたは複数のユーザ機器（ＵＥ）からのＣＱＩフィードバックと、１つまたは複数のＵＥからのＰＭＩフィードバックと、基地局によって検出されたチャネル測定値と、のうちの少なくとも１つのための情報を得て、
前記得られた情報に基づいて、前記プリコーディング・マトリクスを決定する
ように構成される、請求項２２に記載の装置。
【請求項２６】
前記２つ以上のＯＦＤＭシンボルの各々は、前記１つまたは複数の復調基準信号のうちの１つを伝達するために使用される、請求項２２に記載の装置。
【請求項２７】
前記少なくとも１つのプロセッサはさらに、
第１のバンドリング・グループおよび第２のバンドリング・グループを生成し、ここにおいて、前記第１のバンドリング・グループおよび前記第２のバンドリング・グループは、前記ＲＢのセットのうちのＲＢの異なるサブセットを含む、
前記第１のバンドリング・グループに前記変更されたプリコーディング・マトリクスを適用し、前記第２のバンドリング・グループに前記第１のプリコーディング・マトリクスを適用する
ように構成される、請求項２２に記載の装置。
【請求項２８】
前記少なくとも１つのプロセッサはさらに、前記第１のバンドリング・グループおよび前記第２のバンドリング・グループをユーザ機器（ＵＥ）に送信するように構成され、ここにおいて、前記ＵＥは、前記第１のバンドリング・グループおよび前記第２のバンドリング・グループの各々にわたる同時チャネル推定を実行することが可能である、請求項２７に記載の装置。
【発明の詳細な説明】
【関連出願の相互参照】
【０００１】
本願は、２０１０年５月４日に出願された、「プリコーディング・マトリクスの位相回転を容易にする方法および装置」（Method and Apparatus that Facilitates a Phase Rotation of a Pre-coding Matrix）と題する、米国仮特許出願番号第６１／３３１，３６０号と、２０１０年５月７日に出願された、「直交カバー符号のマッピングを容易にする方法および装置」（Method and Apparatus that Facilitates a Mapping of Orthogonal Cover Codes）と題する、米国仮特許出願番号第６１／３３２，６７３号の優先権を主張し、それらの全内容は引用により本明細書に明確に組み込まれる。
【技術分野】
【０００２】
本開示は、一般的に、通信システムに関し、より詳細には、リソース・ブロック（ＲＢ）内の基準信号を伝達するシンボル間の送信電力の均等化を容易にするための装置および方法に関する。
【背景技術】
【０００３】
電話通信、映像、データ、メッセージング、ブロードキャストといったさまざまな電気通信サービスを提供するために、無線通信システムが広く展開されている。典型的な無線通信システムは、利用可能なシステム・リソース（たとえば、帯域幅、送信電力）を共有することによって複数のユーザとの通信をサポートすることができる多元接続技術を用い得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
これらの多元接続技術は、様々な無線デバイスに、市区町村レベル、国レベル、地域レベル、さらには世界的なレベルでの通信をも可能にさせる、共通のプロトコルを提供するために、さまざまな電気通信規格において採用されてきた。台頭してきた電気通信規格の例は、ロング・ターム・エボリューション（ＬＴＥ）である。ＬＴＥは、第３世代パートナーシップ・プロジェクト（３ＧＰＰ）によって発表されたユニバーサル・モバイル電気通信システム（ＵＭＴＳ）のモバイル規格を高度化したもののセットである。それは、スペクトル効率を改善すること、コストを下げること、サービスを改善すること、新たなスペクトルを利用すること、および、下りリンク（ＤＬ）にＯＦＤＭＡを、上りリンク（ＵＬ）にＳＣ−ＦＤＭＡを、そして多入力多出力（ＭＩＭＯ）アンテナ技術を使用して、より適切に他のオープン規格と統合することによって、モバイル・ブロードバンド・インターネット・アクセスをより良好にサポートするように設計されている。しかしながら、モバイル・ブロードバンド・アクセスに対する要求が増加し続けるにつれ、ＬＴＥ技術におけるさらなる改善が必要である。これらの改善は、これらの技術を用いる他の多元接続技術および電気通信規格に適用可能であり得る。
【発明の概要】
【０００５】
以下においては、１つ以上の態様の基本的な理解を提供するために、そのような態様の簡潔化された概要を提示する。この概要は、企図されるすべての態様の広範な概説ではなく、すべての態様のキーとなるエレメントまたは重要なエレメントを特定することも、任意の態様またはすべての態様の範囲を示すことも意図していない。その唯一の目的は、後に提示されるより詳細な説明への前置きとして、簡潔化された形態で１つ以上の態様のいくつかの概念を提示することである。
【０００６】
本開示のさまざまな態様は、ＲＢ内で伝達される基準信号に対する、プリコーディング・マトリクスおよび直交符号カバー（ＯＣＣ）の適用に関し得る。これらの態様はまた、基準信号を伝達する異なるＯＦＤＭシンボル間での送信電力の均等化を最適化するための方法を含むことができる。これらのさまざまな態様は、プリコーディング・マトリクス内の１つまたは複数のビームフォーミング・ベクトルの位相を調節するようにプリコーディング・マトリクスを変更することと、変更されたＯＣＣスキームを基準信号に適用することとを含み得るが、これらに限定されない。
【０００７】
一態様によると、無線通信のための方法が提供される。この方法は、ＲＢのセットの一部分に使用するための第１のプリコーディング・マトリクスを決定することを含むことができ、第１のプリコーディング・マトリクスは、ビームフォーミング・ベクトルのセットを含む。該方法は、変更されたプリコーディング・マトリクスを生成するために、位相回転を適用することによってビームフォーミング・ベクトルのセットのうちの少なくとも１つのビームフォーミング・ベクトルを変更することを含み得る。該方法は、少なくとも１つのアンテナを使用する送信のために、ＲＢのセットの一部分に関連づけられた１つまたは複数の復調基準信号およびデータに、変更されたプリコーディング・マトリクスを適用することを含み得る。
【０００８】
さらなる別の態様は、コンピュータ読取可能な記憶媒体を備えるコンピュータ・プログラム製品に関する。コンピュータ読取可能な記憶媒体は、コンピュータに、リソース・ブロック（ＲＢ）のセットの一部分に使用するための第１のプリコーディング・マトリクスを決定させるための命令を含むことができ、第１のプリコーディング・マトリクスは、ビームフォーミング・ベクトルのセットを含む。コンピュータ読取可能な記憶媒体は、さらに、コンピュータに、変更されたプリコーディング・マトリクスを生成するために、位相回転を適用することによってビームフォーミング・ベクトルのセットのうちの少なくとも１つのビームフォーミング・ベクトルを変更させるための命令を含み得る。コンピュータ読取可能な記憶媒体はさらに、コンピュータに、少なくとも１つのアンテナを使用する送信のために、ＲＢのセットの一部分に関連づけられた１つまたは複数の復調基準信号およびデータに、変更されたプリコーディング・マトリクスを適用させるための命令を含み得る。
【０００９】
別の態様は、無線通信のための装置に関する。該装置は、リソース・ブロック（ＲＢ）のセットの一部分に使用するための第１のプリコーディング・マトリクスを決定するための手段を含むことができ、第１のプリコーディング・マトリクスは、ビームフォーミング・ベクトルのセットを含む。さらに、該装置は、変更されたプリコーディング・マトリクスを生成するために、位相回転を適用することによってビームフォーミング・ベクトルのセットのうちの少なくとも１つのビームフォーミング・ベクトルを変更するための手段を含み得る。該装置は、少なくとも１つのアンテナを使用する送信のために、ＲＢのセットの一部分に関連づけられた１つまたは複数の復調基準信号およびデータに、変更されたプリコーディング・マトリクスを適用するための手段を含み得る。
【００１０】
さらなる別の態様は、無線通信のための装置に関する。該装置は、リソース・ブロック（ＲＢ）のセットの一部分に使用するための第１のプリコーディング・マトリクスを決定するように構成された少なくとも１つのプロセッサを含むことができ、第１のプリコーディング・マトリクスは、ビームフォーミング・ベクトルのセットを含む。さらに、少なくとも１つのプロセッサは、変更されたプリコーディング・マトリクスを生成するために、位相回転を適用することによってビームフォーミング・ベクトルのセットのうちの少なくとも１つのビームフォーミング・ベクトルを変更するように構成されることができる。少なくとも１つのプロセッサは、少なくとも１つのアンテナを使用する送信のために、ＲＢのセットの一部分に関連づけられた１つまたは複数の復調基準信号およびデータに、変更されたプリコーディング・マトリクスを適用するように構成されることができる。装置はさらに、少なくとも１つのプロセッサに結合されたメモリを含むことができる。
【００１１】
上述した目的および関連する目的の達成のために、１つまたは複数の態様は、以下で詳細に説明され、特許請求の範囲において特に指摘される特徴を備える。以下の説明および添付の図面は、１つまたは複数の態様のある特定の例示的な特徴を詳細に示す。しかしながら、これらの特徴は、さまざまな態様の原理が用いられ得るさまざまな方法のほんの一部を示すものであり、この説明は、そのようなすべての態様およびそれらの同等物を含むことを意図する。
【図面の簡単な説明】
【００１２】
【図１】図１は、処理システムを用いる装置のためのハードウェア実装を示す図である。
【図２】図２は、ネットワーク・アーキテクチャを示す図である。
【図３】図３は、アクセス・ネットワークを示す図である。
【図４】図４は、アクセス・ネットワークにおいて使用されるフレーム構造を示す図である。
【図５】図５は、ＬＴＥにおける上りリンク（ＵＬ）に関する例示的なフォーマットを示す図である。
【図６】図６は、ユーザ・プレーンおよび制御プレーンに関する無線プロトコル・アーキテクチャを示す図である。
【図７】図７は、アクセス・ネットワークにおける発展型ノードＢ（ｅＮＢ）とユーザ機器（ＵＥ）とを示す図である。
【図８】図８は、一態様によるＯＦＤＭシンボルの電力の均等化を実現するアクセス・ネットワークを示す図である。
【図９】図９は、一態様による基準信号パターンを示す図である。
【図１０】図１０は、一態様による２つのプリコーディング・マトリクスを示す図である。
【図１１】図１１は、一態様によるプリコーディング・マトリクスの回転を示す図である。
【図１２】図１２は、一態様によるカバー符号のマッピングを示す図である。
【図１３】図１３は、電力最適化システムのブロック図である。
【図１４】図１４は、無線通信方法のフローチャートである。
【図１５】図１５は、別の無線通信方法のフローチャートである。
【図１６】図１６は、例示的な装置の機能を示す概念的なブロック図である。
【図１７】図１７は、別の例示的な装置の機能を示す概念的なブロック図である。
【詳細な説明】
【００１３】
添付の図面に関連して以下に示される詳細な説明は、さまざまな構成の説明を意図したものであり、ここに説明される概念が実現され得る唯一の構成を表すことを意図したものではない。詳細な説明は、さまざまな概念の完全な理解を提供する目的で、具体的な詳細を含む。しかしながら、これらの概念がこれらの具体的な詳細なしに実現され得ることが当業者には明らかであろう。いくつかの例では、そのような概念をあいまいにすることを避けるために、周知の構造およびコンポーネントが、ブロック図の形態で示される。
【００１４】
電気通信システムのいくつかの態様が、さまざまな装置および方法を参照してここに提示される。これらの装置および方法は、さまざまなブロック、モジュール、コンポーネント、回路、ステップ、処理、アルゴリズム、等（まとめて「エレメント」と呼ばれる）により、以下の詳細な説明において説明され、添付の図面において示される。これらのエレメントは、電子ハードウェア、コンピュータ・ソフトウェア、またはそれらの任意の組み合わせを使用して実現されることができる。そのようなエレメントがハードウェアとして実現されるかソフトウェアとして実現されるかは、システム全体に課された特定の用途および設計の制約に依存する。
【００１５】
例として、エレメント、またはエレメントの任意の一部、またはエレメントの任意の組み合わせは、１つまたは複数のプロセッサを含む「処理システム」を用いて実現され得る。プロセッサの例は、本開示全体を通して説明されるさまざまな機能を実行するように構成された、マイクロプロセッサ、マイクロコントローラ、デジタル・シグナル・プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリートハードウェア回路、および他の適切なハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語、またはそれ以外の名称で呼ばれるかどうかにかかわらず、命令、命令のセット、コード、コード・セグメント、プログラム・コード、プログラム、サブプログラム、ソフトウェア・モジュール、アプリケーション、ソフトウェア・アプリケーション、ソフトウェア・パッケージ、ルーチン、サブルーチン、オブジェクト、実行ファイル、実行スレッド、プロシージャ、関数、等を意味するように広く解釈されるべきである。
【００１６】
ソフトウェアは、コンピュータ読取可能な媒体に存在することができる。コンピュータ読取可能な媒体は、非一時的なコンピュータ読取可能な媒体であることができる。非一時的なコンピュータ読取可能な媒体は、例として、磁気記憶デバイス（たとえば、ハードディスク、フロッピー（登録商標）ディスク、磁気ストリップ）、光学ディスク（たとえば、コンパクト・ディスク（ＣＤ）、デジタル多用途ディスク（ＤＶＤ））、スマートカード、フラッシュメモリ・デバイス（たとえば、カード、スティック、キードライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電気的に消去可能なＰＲＯＭ（ＥＥＰＲＯＭ）、レジスタ、リムーバブル・ディスク、ならびにコンピュータによるアクセスおよび読み取りが可能なソフトウェアおよび／または命令を記憶するための任意の他の適切な媒体を含む。コンピュータ読取可能な媒体は、処理システム内、もしくは処理システムの外部に存在することができ、または、処理システムを含めた複数のエンティティにわたって分散されることができる。コンピュータ読取可能な媒体は、コンピュータ・プログラム製品に組み込まれることができる。例として、コンピュータ・プログラム製品は、パッケージング材料内のコンピュータ読取可能な媒体を含むことができる。当業者は、システム全体に課された特定の用途および全体的な設計の制約に応じて、本開示全体を通して提示される説明された機能をどのように実現することが最善かを認識するだろう。
【００１７】
図１は、処理システム１１４を用いる装置１００についてのハードウェア実装の一例を示す概念図である。この例において、処理システム１１４は、バス１０２によって一般的に表されたバス・アーキテクチャを用いて実現されることができる。バス１０２は、処理システム１１４の具体的な用途と全体的な設計の制約に応じて、任意の数の相互接続バスおよびブリッジを含むことができる。バス１０２は、プロセッサ１０４によって一般的に表された１つまたは複数のプロセッサや、コンピュータ読取可能な媒体１０６によって一般的に表されたコンピュータ読取可能な媒体を含む、さまざまな回路を互いに連結させる。バス１０２はまた、タイミング・ソース、周辺機器、電圧レギュレータ、電力管理回路といったさまざまな他の回路を連結させることができるが、これらは、当該技術分野でよく知られているので、これ以上説明しない。バス・インターフェース１０８は、バス１０２とトランシーバ１１０との間のインターフェースを提供する。トランシーバ１１０は、伝送媒体を通じてさまざまな他の装置と通信するための手段を提供する。装置の性質に応じて、ユーザ・インターフェース１１２（たとえば、キーパッド、ディスプレイ、スピーカー、マイクロフォン、ジョイスティック）も提供されることができる。
【００１８】
プロセッサ１０４は、バス１０２の管理、および、コンピュータ読取可能な媒体１０６に記憶されたソフトウェアの実行を含む一般的な処理を担う。ソフトウェアは、プロセッサ１０４によって実行されると、処理システム１１４に、任意の特定の装置に関して後に説明される、さまざまな機能を実行させる。コンピュータ読取可能な媒体１０６はまた、ソフトウェアを実行するときにプロセッサ１０４によって操作されるデータを記憶するために使用されることができる。
【００１９】
図２は、さまざまな装置１００（図１を参照）を用いるＬＴＥネットワーク・アーキテクチャ２００を示す図である。ＬＴＥネットワーク・アーキテクチャ２００は、発展型パケット・システム（ＥＰＳ）２００と呼ばれ得る。ＥＰＳ２００は、１つまたは複数のユーザ機器（ＵＥ）２０２、発展型ＵＭＴＳ地上無線アクセス・ネットワーク（Ｅ−ＵＴＲＡＮ）２０４、発展型パケット・コア（ＥＰＣ）２１０、ホーム・サブスクライバ・サーバ（ＨＳＳ）２２０、およびオペレータのＩＰサービス２２２を含むことができる。ＥＰＳは、他のアクセス・ネットワークと相互接続することができるが、簡潔化のために、それらのエンティティ／インターフェースは図示していない。示されるように、ＥＰＳはパケット交換式のサービスを提供するが、当業者には容易に理解されるように、本開示全体を通して提示されるさまざまな概念は、回路交換式のサービスを提供するネットワークに拡張されることができる。
【００２０】
Ｅ−ＵＴＲＡＮは、発展型ノードＢ（ｅＮＢ）２０６および他のｅＮＢ２０８を含む。ｅＮＢ２０６は、ＵＥ２０２に向かうユーザ・プレーンおよび制御プレーンのプロトコルの終端を提供する。ｅＮＢ２０６は、Ｘ２インターフェース（すなわち、バックホール）を介して、他のｅＮＢ２０８に接続されることができる。ｅＮＢ２０６はまた、当業者により、基地局、基地トランシーバ局、無線基地局、無線トランシーバ、トランシーバ機能、ベーシック・サービス・セット（ＢＳＳ）、拡張サービス・セット（ＥＳＳ）、または他の何らかの適切な専門用語で呼ばれ得る。ｅＮＢ２０６は、ＵＥ２０２のために、ＥＰＣ２１０へのアクセス・ポイントを提供する。ＵＥ２０２の例には、セルラー電話、スマートフォン、セッション開始プロトコル（ＳＩＰ）電話、ラップトップ、携帯情報端末（ＰＤＡ）、タブレット、衛星ラジオ、全地球測位システム、マルチメディア・デバイス、映像デバイス、デジタル・オーディオ・プレイヤ（たとえば、ＭＰ３プレイヤ）、カメラ、ゲーム機器、または任意の他の同様の機能を果たすデバイスが含まれる。ＵＥ２０２はまた、当業者により、モバイル局、加入者局、モバイル・ユニット、加入者ユニット、無線ユニット、リモート・ユニット、モバイル・デバイス、無線デバイス、無線通信デバイス、リモート・デバイス、モバイル加入者局、アクセス端末、モバイル端末、無線端末、リモート端末、ハンドセット、ユーザ・エージェント、モバイル・クライアント、クライアント、または何らかの他の適切な専門用語で呼ばれ得る。
【００２１】
ｅＮＢ２０６は、Ｓ１インターフェースによってＥＰＣ２１０に接続される。ＥＰＣ２１０は、モビリティ管理エンティティ（ＭＭＥ）２１２、他のＭＭＥ２１４、サービング・ゲートウェイ２１６、およびパケット・データ・ネットワーク（ＰＤＮ）ゲートウェイ２１８を含む。ＭＭＥ２１２は、ＵＥ２０２とＥＰＣ２１０との間のシグナリングを処理する制御ノードである。一般的に、ＭＭＥ２１２は、ベアラおよび接続の管理を提供する。すべてのユーザＩＰパケットは、サービング・ゲートウェイ２１６を通じて転送され、サービング・ゲートウェイ２１６自体は、ＰＤＮゲートウェイ２１８に接続される。ＰＤＮゲートウェイ２１８は、ＵＥのＩＰアドレスの割り当てならびに他の機能を提供する。ＰＤＮゲートウェイ２１８は、オペレータのＩＰサービス２２２に接続される。オペレータのＩＰサービス２２２は、インターネット、イントラネット、ＩＰマルチメディア・サブシステム（ＩＭＳ）、およびＰＳストリーミング・サービス（ＰＳＳ）を含む。
【００２２】
図３は、ＬＴＥネットワーク・アーキテクチャにおけるアクセス・ネットワークの一例を示す図である。この例では、アクセス・ネットワーク３００は、いくつかのセルラー領域（セル）３０２に分割されている。より低い電力クラスの１つまたは複数のｅＮＢ３０８、３１２は、それぞれ、セル３０２のうちの１つまたは複数と重複する、セルラー領域３１０、３１４を有することができる。より低い電力クラスのｅＮＢ３０８、３１２は、フェムトセル（たとえば、ホームｅＮＢ（ＨｅＮＢ））、ピコセル、またはマイクロセルであることができる。より高い電力クラスまたはマクロｅＮＢ３０４が、セル３０２に割り当てられ、セル３０２内のすべてのＵＥ３０６のためにＥＰＣ２１０へのアクセス・ポイントを提供するように構成される。アクセス・ネットワーク３００のこの例には中央制御装置が存在しないが、代替の構成では中央制御装置が使用されることができる。ｅＮＢ３０４は、無線ベアラ制御、アドミッション制御、モビリティ制御、スケジューリング、セキュリティ、およびサービング・ゲートウェイ２１６（図２を参照）への接続性を含めた、無線関連のすべての機能を担う。
【００２３】
アクセス・ネットワーク３００によって用いられる変調および多元接続スキームは、展開されている特定の電気通信規格に応じて多様なものであり得る。ＬＴＥ用途では、周波数分割複信（ＦＤＤ）および時分割複信（ＴＤＤ）の両方をサポートするために、ＤＬではＯＦＤＭが使用され、ＵＬではＳＣ−ＦＤＭＡが使用される。以下の詳細な説明から当業者には容易に理解されるように、本明細書に提示されるさまざまな概念は、ＬＴＥ用途によく適している。しかしながら、これらの概念は、他の変調および多元接続技術を用いる他の電気通信規格に容易に拡張されることができる。例として、これらの概念は、エボリューション・データ・オプティマイズド（ＥＶ−ＤＯ）またはウルトラ・モバイル・ブロードバンド（ＵＭＢ）に拡張されることができる。ＥＶ−ＤＯおよびＵＭＢは、ＣＤＭＡ２０００ファミリー規格の一部として第３世代パートナーシップ・プロジェクト２（３ＧＰＰ２）により発表されたエア・インターフェース規格であり、モバイル局に対しブロードバンド・インターネット・アクセスを提供するためにＣＤＭＡを用いる。これらの概念はまた、広帯域ＣＤＭＡ（Ｗ−ＣＤＭＡ）およびＴＤ−ＳＣＤＭＡのようなＣＤＭＡの他の変形例を用いるユニバーサル地上無線アクセス（ＵＴＲＡ）、ＴＤＭＡを用いる移動体通信のためのグローバルシステム（ＧＳＭ（登録商標））、ＯＦＤＭＡを用いる、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されることができる。ＵＴＲＡ、Ｅ−ＵＴＲＡ、ＵＭＴＳ、ＬＴＥ、およびＧＳＭは、３ＧＰＰの団体からの文書において説明されている。ＣＤＭＡ２０００およびＵＭＢは、３ＧＰＰ２の団体からの文書において説明されている。用いられる実際の無線通信規格および多元接続技術は、システムの具体的な用途および全体的な設計の制約によって決まる。
【００２４】
ｅＮＢ３０４は、ＭＩＭＯ技術をサポートする複数のアンテナを有し得る。ＭＩＭＯ技術の使用は、ｅＮＢ３０４が、空間多重、ビームフォーミング、および送信ダイバーシティをサポートするために空間領域を利用することを可能にする。
【００２５】
空間多重は、異なるデータ・ストリームを同一の周波数で同時に送信するために使用されることができる。データ・ストリームは、データ・レートを増大させるために単一のＵＥ３０６に、または、全システム容量を増大させるために複数のＵＥ３０６に、送信されることができる。これは、各データ・ストリームを空間的にプリコーディングすること（すなわち、振幅および位相のスケーリングを適用すること）、そしてそれから、空間的にプリコーディングされた各ストリームを下りリンクで複数の送信アンテナを通じて送信することによって達成される。空間的にプリコーディングされたデータ・ストリームは、異なる空間シグネチャとともに（１つまたは複数の）ＵＥ３０６へと到達し、それは、（１つまたは複数の）ＵＥ３０６の各々が、そのＵＥ３０６に宛てられた１つまたは複数のデータ・ストリームを復元することを可能にする。上りリンクでは、各ＵＥ３０６が、空間的にプリコーディングされたデータ・ストリームを送信し、それは、ｅＮＢ３０４が、空間的にプリコーティングされた各データ・ストリームのソースを識別することを可能にする。
【００２６】
空間多重は、一般に、チャネル状況が良好なときに使用される。チャネル状況があまり好ましくないときには、送信エネルギーを１つまたは複数の方向に集中させるために、ビームフォーミングが使用されることができる。これは、複数のアンテナを通じた送信のためにデータを空間的にプリコーディングすることによって達成されることができる。セル端での良好なカバレッジを達成するために、単一のストリームのビームフォーミング送信が、送信ダイバーシティと組み合わせて使用されることができる。
【００２７】
以下の詳細な説明では、アクセス・ネットワークのさまざまな態様が、下りリンクでＯＦＤＭをサポートするＭＩＭＯシステムに関して説明される。ＯＦＤＭは、１つのＯＦＤＭシンボル内で複数のサブキャリアにわたってデータを変調するスペクトル拡散技術である。サブキャリアは、精密な周波数間隔が空けられている。その間隔は、受信機がそれらのサブキャリアからデータを復元することを可能にする「直交性」を提供する。時間領域では、ＯＦＤＭシンボル間干渉を抑制するために、ガード・インターバル（たとえば、サイクリック・プリフィクス）が各ＯＦＤＭシンボルに追加されることができる。上りリンクは、高いピーク対平均電力比（ＰＡＲＲ：peak-to-average power ratio）を補償するために、ＤＦＴ拡散ＯＦＤＭ信号の形態でＳＣ−ＦＤＭＡを使用することができる。
【００２８】
さまざまなフレーム構造が、ＤＬおよびＵＬ送信をサポートするために使用されることができる。ここで、ＤＬのフレーム構造の一例が、図４を参照して提示される。しかしながら、当業者には容易に理解されるように、任意の特定の用途のためのフレーム構造は、任意の数のファクタに応じて異なり得る。この例では、フレーム（１０ｍｓ）は、等しいサイズの１０個のサブフレームに分割される。各サブフレームは、連続する２個のタイム・スロットを含む。
【００２９】
リソース・グリッドが、２個のタイム・スロットを表すために使用されることができ、各タイム・スロットは、リソース・ブロックを含む。リソース・グリッドは、複数のリソース・エレメントに分割される。ＬＴＥでは、１つのリソース・ブロックは、周波数領域に１２個の連続するサブキャリアを含み、また、各ＯＦＤＭシンボルにおける通常のサイクリック・プリフィクスについては、時間領域に７個の連続するＯＦＤＭシンボルを含み、すなわち、８４個のリソース・エレメントを含む。リソース・エレメントのうちのいくつかは、Ｒ４０２、４０４として示されているように、ＤＬ基準信号（ＤＬ−ＲＳ）を含む。ＤＬ−ＲＳは、セル固有のＲＳ（ＣＲＳ：Cell-specific RS）（共通ＲＳとも呼ばれる）４０２、およびＵＥ固有のＲＳ（ＵＥ−ＲＳ：UE-specific RS）（復調ＲＳとも呼ばれる）４０４を含む。ＵＥ−ＲＳ４０４は、対応する物理下りリンク共有チャネル（ＰＤＳＣＨ：physical downlink shared channel）がマッピングされたリソース・ブロックのみで送信される。各リソース・エレメントによって搬送されるビット数は、変調スキームに依存する。ゆえに、ＵＥが受信するリソース・ブロックが多いほど、また、変調スキームが高度であるほど、ＵＥに関するデータ・レートは高くなる。
【００３０】
ここで、ＵＬのフレーム構造５００の一例が、図５を参照して提示される。図５は、ＬＴＥにおけるＵＬのための例示的なフォーマットを示す。ＵＬのために利用可能なリソース・ブロックは、データ・セクションと制御セクションとに区分されることができる。制御セクションは、システム帯域幅の２つの端のところに形成されることができ、設定可能なサイズを有することができる。制御セクション内のリソース・ブロックは、制御情報の送信のためにＵＥに割り当てられることができる。データ・セクションは、制御セクションに含まれないすべてのリソース・ブロックを含むことができる。図５の設計は、連続する複数のサブキャリアを含むデータ・セクションをもたらし、それは、データ・セクション内の連続するサブキャリアすべてが単一のＵＥに割り当てられることを可能にし得る。
【００３１】
ＵＥは、ｅＮＢに制御情報を送信するために、制御セクション内のリソース・ブロック５１０ａ、５１０ｂを割り当てられることができる。該ＵＥは、また、ｅＮＢにデータを送信するために、データ・セクション内のリソース・ブロック５２０ａ、５２０ｂを割り当てられることができる。該ＵＥは、制御セクションにおいて割り当てられたリソース・ブロック上で、物理上りリンク制御チャネル（ＰＵＣＣＨ：physical uplink control channel）において、制御情報を送信することができる。該ＵＥは、データ・セクションにおいて割り当てられたリソース・ブロック上で、物理上りリンク共有チャネル（ＰＵＳＣＨ：physical uplink shared channel）において、データのみ、またはデータと制御情報の両方を送信することができる。ＵＬ送信は、１サブフレームの両方のスロットにわたることができ、周波数をホッピングすることができる。リソース・ブロックのセットが、物理ランダム・アクセス・チャネル（ＰＲＡＣＨ：physical random access channel）５３０において、初期システム・アクセスを実行し、ＵＬの同期を達成するために、使用されることができる。ＰＲＡＣＨ５３０は、ランダム・シーケンスを搬送するが、ＵＬデータ／シグナリングを搬送することはできない。
【００３２】
図６を参照すると、ＵＥおよびｅＮＢについての無線プロトコル・アーキテクチャが、レイヤ１、レイヤ２、レイヤ３という３つのレイヤを用いて示されている。レイヤ１は、最下位のレイヤであり、物理レイヤのさまざまな信号処理機能を実現する。レイヤ１は、本明細書では物理レイヤ６０６と呼ぶ。レイヤ２（Ｌ２レイヤ）６０８は、物理レイヤ６０６よりも上位にあり、物理レイヤ６０６を通じたＵＥとｅＮＢとの間のリンクを担う。
【００３３】
ユーザ・プレーンでは、Ｌ２レイヤ６０８は、媒体アクセス制御（ＭＡＣ：media access control ）サブレイヤ６１０、無線リンク制御（ＲＬＣ：radio link control ）サブレイヤ６１２、パケットデータ・コンバージェンス・プロトコル（ＰＤＣＰ：packet data convergence protocol ）サブレイヤ６１４を含み、それらは、ネットワーク側のｅＮＢのところで終端する。示されていないが、ＵＥは、ネットワーク側のＰＤＮゲートウェイ２１８ （図２を参照）のところで終端するネットワーク・レイヤ（たとえば、ＩＰレイヤ）と、他方の接続端（たとえば、遠端のＵＥ、サーバ、等）のところで終端するアプリケーション・レイヤとを含む、Ｌ２レイヤ６０８よりも上位のいくつかの上位レイヤを有することができる。
【００３４】
ＰＤＣＰサブレイヤ６１４は、異なる無線ベアラと論理チャネルとの間での多重化を提供する。ＰＤＣＰサブレイヤ６１４はまた、無線送信のオーバーヘッドを減じるために上位レイヤのデータ・パケットについてヘッダーの圧縮を提供し、データ・パケットを暗号化することによってセキュリティを提供し、ｅＮＢ間でのＵＥについてのハンドオーバーのサポートを提供する。ＲＬＣサブレイヤ６１２は、上位レイヤのデータ・パケットのセグメンテーションおよびリアセンブリと、損失データ・パケットの再送と、ハイブリッド自動再送要求（ＨＡＲＱ）に起因する、順序が乱れた受信を補償するためのデータ・パケットの並び替えと、を提供する。ＭＡＣサブレイヤ６１０は、論理チャネルとトランスポート・チャネルとの間での多重化を提供する。ＭＡＣサブレイヤ６１０はまた、複数のＵＥ間で、１つのセルにおけるさまざまな無線リソース（たとえば、リソース・ブロック）を割り当てることを担う。ＭＡＣサブレイヤ６１０はまた、ＨＡＲＱ演算を担う。
【００３５】
制御プレーンでは、ＵＥおよびｅＮＢに関する無線プロトコル・アーキテクチャは、制御プレーンではヘッダー圧縮機能がないという点を除き、物理レイヤ６０６およびＬ２レイヤ６０８については実質的に同一である。制御プレーンはまた、レイヤ３内に無線リソース制御（ＲＲＣ：radio resource control）サブレイヤ６１６を含む。ＲＲＣサブレイヤ６１６は、無線リソース（すなわち、無線ベアラ）を得て、ｅＮＢとＵＥとの間でＲＲＣシグナリングを使用して下位レイヤを設定することを担う。
【００３６】
図７は、アクセス・ネットワークにおいてＵＥ７５０と通信するｅＮＢ７１０のブロック図である。ＤＬでは、コア・ネットワークからの上位レイヤ・パケットが、制御装置／プロセッサ７７５に提供される。制御装置／プロセッサ７７５は、図６に関し先に述べたＬ２レイヤの機能を実現する。ＤＬにおいて、制御装置／プロセッサ７７５は、ヘッダーの圧縮、暗号化、パケットのセグメンテーションおよび並び替え、論理チャネルとトランスポート・チャネルとの間での多重化、さまざまな優先順位メトリックに基づいたＵＥ７５０に対する無線リソースの割り当てを提供する。制御装置／プロセッサ７７５はまた、ＨＡＲＱ演算、損失パケットの再送、ＵＥ７５０へのシグナリングを担う。
【００３７】
ＴＸプロセッサ７１６は、Ｌ１レイヤ（すなわち、物理レイヤ）のためのさまざまな信号処理機能を実現する。信号処理機能は、ＵＥ７５０における前方誤り訂正（ＦＥＣ）を容易にするように符号化およびインターリーブすることと、さまざまな変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。符号化および変調されたシンボルは、次いで、パラレルなストリームへと分けられる。そして、各ストリームは、ＯＦＤＭサブキャリアにマッピングされ、時間領域および／または周波数領域において基準信号（たとえば、パイロット）とともに多重化され、そして、逆高速フーリエ変換（ＩＦＦＴ）を使用してともに合成されて、時間領域のＯＦＤＭシンボル・ストリームを搬送する物理チャネルを生成する。ＯＦＤＭストリームは、複数の空間ストリームを生成するために空間的にプリコーディングされる。チャネル推定器７７４からのチャネル推定値が、符号化および変調スキームの決定ならびに空間処理のために使用され得る。チャネル推定値は、ＵＥ７５０によって送信された基準信号および／またはチャネル状況のフィードバックから導出され得る。そして、各空間ストリームは、別個の送信機７１８ＴＸを介して異なるアンテナ７２０に提供される。各送信機７１８ＴＸは、送信のためにそれぞれの空間ストリームを用いてＲＦキャリアを変調する。
【００３８】
ＵＥ７５０において、各受信機７５４ＲＸは、そのそれぞれのアンテナ７５２を通じて信号を受信する。各受信機７５４ＲＸは、ＲＦキャリア上に変調された情報を復元し、受信機（ＲＸ）プロセッサ７５６にその情報を提供する。
【００３９】
ＲＸプロセッサ７５６は、Ｌ１レイヤのさまざまな信号処理機能を実現する。ＲＸプロセッサ７５６は、ＵＥ７５０に宛てられた空間ストリームを復元するために、情報に対して空間処理を実行する。複数の空間ストリームがＵＥ７５０に宛てられる場合、それらは、ＲＸプロセッサ７５６により単一のＯＦＤＭシンボル・ストリームへと合成されることができる。そして、ＲＸプロセッサ７５６は、高速フーリエ変換（ＦＦＴ）を使用してＯＦＤＭシンボル・ストリームを時間領域から周波数領域へと変換する。周波数領域の信号は、ＯＦＤＭ信号の各サブキャリアについて別個のＯＦＤＭシンボル・ストリームを備える。各サブキャリアにおけるシンボル、および基準信号は、ｅＮＢ７１０によって送信された最も確からしい信号コンステレーション・ポイントを決定することによって、復元および復調される。これらの軟判定は、チャネル推定器７５８によって計算されたチャネル推定値に基づくことができる。ついで、これらの軟判定は、物理チャネルにおいてｅＮＢ７１０により元々送信されたデータおよび制御信号を復元するために、復号およびデインターリーブされる。そして、データおよび制御信号が、制御装置／プロセッサ７５９に提供される。
【００４０】
制御装置／プロセッサ７５９は、図６に関し先に述べたＬ２レイヤを実現する。ＤＬ では、制御装置／プロセッサ７５９は、トランスポート・チャネルと論理チャネルとの間でのデマルチプレクシング、パケットのリアセンブリ、暗号の解読、ヘッダーの圧縮解除、制御信号処理を提供して、コア・ネットワークからの上位レイヤ・パケットを復元する。ついで、上位レイヤ・パケットは、データ・シンク７６２に提供されるが、それは、Ｌ２レイヤより上位のすべてのプロトコル・レイヤを表す。さまざまな制御信号が、また、Ｌ３処理のためにデータ・シンク７６２に提供され得る。制御装置／プロセッサ７５９はまた、ＨＡＲＱ演算をサポートするために、肯定応答（ＡＣＫ）および／または否定応答（ＮＡＣＫ）プロトコルを使用した誤り検出を担う。
【００４１】
ＵＬでは、制御装置／プロセッサ７５９に上位レイヤ・パケットを提供するために、データ・ソース７６７が使用される。データ・ソース７６７は、Ｌ２レイヤ（Ｌ２）より上位のすべてのプロトコル・レイヤを表す。ｅＮＢ７１０によるＤＬ送信に関連して説明された機能と同様に、制御装置／プロセッサ７５９は、ヘッダーの圧縮、暗号化、パケットのセグメンテーションと並び替え、およびｅＮＢ７１０による無線リソースの割り当てに基づいた論理チャネルとトランスポート・チャネルとの間での多重化を提供することにより、ユーザ・プレーンおよび制御プレーンのためのＬ２レイヤを実現する。制御装置／プロセッサ７５９はまた、ＨＡＲＱ演算、損失パケットの再送、およびｅＮＢ７１０へのシグナリングを担う。
【００４２】
ｅＮＢ７１０によって送信された基準信号またはフィードバックからチャネル推定器７５８によって導出されたチャネル推定値は、適切な符号化および変調スキームを選択し、空間処理を容易にするために、ＴＸプロセッサ７６８により使用されることができる。ＴＸプロセッサ７６８によって生成された空間ストリームは、別個の送信機７５４ＴＸを介して異なるアンテナ７５２に提供される。各送信機７５４ＴＸは、送信のためにそれぞれの空間ストリームを用いてＲＦキャリアを変調する。
【００４３】
ＵＬ送信は、ＵＥ７５０における受信機機能に関連して説明されたのと同様の方式で、ｅＮＢ７１０において処理される。各受信機７１８ＲＸは、そのそれぞれのアンテナ７２０を通じて信号を受信する。各受信機７１８ＲＸは、ＲＦキャリア上に変調された情報を復元し、ＲＸプロセッサ７７０にその情報を提供する。ＲＸプロセッサ７７０は、Ｌ１レイヤを実現する。
【００４４】
制御装置／プロセッサ７７５ は、図６に関し先に述べたＬ２レイヤを実現する。ＵＬでは、制御装置／プロセッサ７７５ は、トランスポート・チャネルと論理チャネルとの間でのデマルチプレクシング、パケットのリアセンブリ、暗号の解読、ヘッダーの圧縮解除、制御信号処理を提供して、ＵＥ７５０からの上位レイヤ・パケットを復元する。制御装置／プロセッサ７７５からの上位レイヤ・パケットは、コア・ネットワークに提供されることができる。制御装置／プロセッサ７７５ はまた、ＨＡＲＱ演算をサポートするために、ＡＣＫおよび／またはＮＡＣＫプロトコルを使用した誤り検出を担う。
【００４５】
図１に関して説明された処理システム１１４は、ｅＮＢ７１０を含む。具体的には、処理システム１１４は、ＴＸプロセッサ７１６と、ＲＸプロセッサ７７０と、制御装置／プロセッサ７７５とを含む。
【００４６】
図８は、１つまたは複数のＵＥ８０４が、ｅＮＢ８０２と、および／またはｅＮＢ８０２を通じて他のＵＥ８０４と通信することができる、無線ネットワーク環境８００を示す。ＬＴＥベースの環境では、通信の容易化を支援するために、ＵＥ固有の復調基準信号（ＵＥ−ＲＳ）が使用される。８までのランクについて、ノーマル・サブフレームにおけるＵＥ−ＲＳパターンが、現在の標準において合意されている。一般に、ＵＥ−ＲＳにわたる電力の均等化および／または最適化を維持することおよび／または得ることが望ましい。図９〜１５を参照して説明するように、ＵＥ−ＲＳにわたって電力を均等化および／または最適化するためのさまざまな設計が提示される。
【００４７】
図９は、ハイブリッドＣＤＭ（符号分割多重）／ＦＤＭ（周波数分割多重）パターン９００を示す。一態様では、このパターンは、ＬＴＥアドバンスト（ＬＴＥ−Ａ）システムにおいて、ＵＥ固有基準信号（ＵＥ−ＲＳと言い、ここでは場合により復調基準信号「ＤＭ−ＲＳ」と同義で用いられる）のために使用されることができる。各列は、ＯＦＤＭシンボルを表す。このパターンは、複数のＲＢを含み、基準信号ＲＥ（９０１，９０３）は、それらのＲＢ内の複数の場所に分散される。基準信号（９０１，９０３）は、異なる符号分割多重（ＣＤＭ）グループ（９０２，９０４）へとグループ化され得る。ランク１および２については、第１のＣＤＭグループ９０２に対応するＵＥ−ＲＳ ＲＥのみが、パイロット（たとえば、ＵＥ−ＲＳ）のために使用されることができる。そのような態様では、第２のＣＤＭグループ９０４に関するＲＥは、データのために使用されることができる。実施においては、ランク２については、２つのレイヤに関するパイロットが、時間的に連続する２つのＲＥ９０８にわたりＣＤＭを使用して送られるので、２つのレイヤに関するパイロットは、時間的に連続する２つのＲＥにわたる逆拡散によって直交化されることができる。ランク３および４については、両方のＣＤＭグループがパイロットのために使用されることができ、その際、ＣＤＭグループ１（９０２）が２つのレイヤのパイロットのために使用され、ＣＤＭグループ２（９０４）は、残りの１つまたは２つのレイヤのパイロットのために使用される。パイロットは、この場合、また、時間的に連続する２つのＲＥ９０８にわたるＣＤＭ逆拡散によって直交化されることができる。ランク５〜８については、基準信号パターンは、２つのＣＤＭグループ９０８を含むことができ、１つのグループにおける４つのＲＥにわたる４つまでのレイヤの符号分割多重は、パイロットを直交化するために、時間的に４つのＲＥにわたる逆拡散を使用する。さらに、基準信号ＲＥは、繰り返しのパターン（９０６）において組織化されることができる。示された態様では、ＯＣＣ９１０は、エレメント（ａ，ｂ，ｃ，ｄ，ｅ，ｆ，ｇ，ｈ）、および、各レイヤについての付随するベクトル値（たとえば、レイヤ１については［ａ，ｂ，ｃ，ｄ，ｅ，ｆ，ｇ，ｈ］＝［１，１，１，１，０，０，０，０］、レイヤ２については［ａ，ｂ，ｃ，ｄ，ｅ，ｆ，ｇ，ｈ］＝［１，−１，１，−１，０，０，０，０］、等）を有する。ここでは、カバー符号は、ＵＥ−ＲＳ（９０１，９０３）によって使用されるピーク電力を減じるために頻繁に入れ替わり得る（may alternate with frequency）ことに注意すべきである。さらに、ランク５〜８については、レイヤの値は、ゼロからスタートすることができる（たとえば、レイヤ５については［ａ，ｂ，ｃ，ｄ，ｅ，ｆ，ｇ，ｈ］＝［０，０，０，０，１，１，１，１］）。「ａ」のＯＣＣを含むように示されたＲＥでは、送信信号は、ＰａＴとして定義されることができる（ここで、ａＴは、転置行列（ａ）であり、Ｐは、プリコーディング・マトリクスである）。同様に、「ｂ」のＯＣＣを含むように示されたＲＥでは、送信信号は、ＰｂＴである。
【００４８】
図１０は、ＯＦＤＭシンボル間での送信電力の均衡化を容易にするために使用され得る例示的なプリコーディング・マトリクス（１００２，１００４）を示す。一態様において、ＯＦＤＭシンボル間で電力を均等化することは、ピーク電力消費を低減するのに役立つ。図示された態様では、第１のプリコーディング・マトリクス１００２の最後の２列に位相シフトを適用することによって、第２のプリコーディング・マトリクス１００４が得られる。言い換えれば、プリコーディング・マトリクス・ベクトルの位相は、ピーク電力を最小化するように選択されることができる。
【００４９】
一般的に、プリコーディング・マトリクスを決定することに関し、ＮＴｘ行Ｒ列のプリコーディング・マトリクスＰが想定されることができ、ここで、ＮＴｘは、送信アンテナの数であり、Ｒは、同時に送信される空間的に分離されたデータ・ストリーム（たとえば、送信ランク）の数である。ＵＥ−ＲＳベースの送信の場合、プリコーディングされたパイロットが、また、Ｒ個のレイヤのために送られることができる。上述したハイブリッドＦＤＭ／ＣＤＭ ＵＥ−ＲＳパターンの場合、Ｒ個のレイヤは、異なるＣＤＭグループ間で分けられることができる。ＳＵ−ＭＩＭＯ送信モードが使用されるか、またはＭＵ−ＭＩＭＯ送信モードが使用されるかに応じて、Ｐの列が直交し得ることに注意すべきである。
【００５０】
さらに、Ｍは、所与のＯＦＤＭシンボル内におけるレイヤごとのＯＣＣ（９１０）の割り当てを記述するベクトルであることができる。加えて、同じ式が、各ＯＦＤＭシンボルについて別個に適用されることができるが、各シンボルにおけるＭのマトリクスは異なる。Ｍは、Ｒ行Ｑ列を有することができ、ここで、Ｑは、電力の配分が最適化され得るＲＥの数に対応する。たとえば、電力の配分がＵ個のＲＢにわたって最適化される場合、Ｑ＝３×Ｕである。各ＣＤＭグループは、別個にカウントされることができ、別個に最適化されることができる。
【００５１】
さらに、プリコーディング・ベクトルｐｉは、ｉ番目の送信アンテナに対応する（たとえば、ｐｉは、Ｐの第ｉ行である）。
【００５２】
したがって、ｉ番目の送信アンテナで第１のＣＤＭグループにおいてＤＭ−ＲＳを搬送するＯＦＤＭシンボル内の各ＲＥにおけるＤＭ−ＲＳ信号は、行ベクトル、
【数１】
0005635183.tif 000002
【００５３】
として書かれることができ、ここで、
【数２】
0005635183.tif 000003
【００５４】
である。そして、Ｕ個のＲＢにわたる第１のＣＤＭグループにおけるｉ番目の送信アンテナの合計電力、
【数３】
0005635183.tif 000004
【００５５】
は、式（１）である。
【数４】
0005635183.tif 000005
【００５６】
式（１）は、均衡化された電力の形式（a balanced power form）において書かれると（たとえば、Ｍ・Ｍ＊＝Ｉ、ここで、Ｍは正規直交である）、式（２）として表されることができる。
【数５】
0005635183.tif 000006
【００５７】
加えて、周波数領域におけるＯＣＣのエレメントはまた、レイヤごとにエレメントを収集するときに、直交ベクトルを形成する。Ｍ・Ｍ＊≠Ｉであるとき、レイヤの回転が、それでもなお、シンボルごとの電力の均衡化に役立ち得るということに注意すべきである。
【００５８】
一態様において、Ｑは、Ｍ・Ｍ＊＝Ｉを保証するために、ＯＣＣシーケンスがレイヤをまたいで周波数において直交する、周波数領域拡散の長さの倍数であることができる。たとえば、ＱＰＳＫエレメントを有するＯＣＣでは、Ｑは、３および４の最小の倍数であることができ、したがって、均衡化は、４個のＲＢにわたって達成されることができる。
【００５９】
プリコーディング・マトリクス１００４は最後の２列に−１を乗算することによって１００２から得られた、ということに注意すべきである。そのような乗算は、データが同一の方向（direction）を使用してプリコーディングされ続けるので、ＵＥに影響を及ぼさない。また、ＵＥが、やはり同一のプリコーディング・マトリクスを使用してプリコーディングされた復調基準信号から推定されたチャネルを使用してデータを復号するので、位相シフトは、ＵＥにとってトランスペアレントである。一態様では、バンドリングが使用されない場合、各ＲＢに異なる位相回転が適用され得る。さらに、バンドリングを用いると、バンドルにされていないＲＢにわたって異なる位相回転が適用され得る。ここで使用されるとき、ＲＢの両方がある受信機に割り当てられている場合に、その受信機が、それらのＲＢに同一のプリコーディング・マトリクスが使用されていると見なせる場合に、ＲＢがバンドルにされていると言われる。さらに、一態様では、どのＲＢがバンドルにされるべきかは、無線ネットワークに関連づけられた規格において定義されることができる（たとえば、ＬＴＥのリリース１０は、どのＲＥがバンドルにされるべきかを定義している）。
【００６０】
図１１は、２個のＲＢ ＯＦＤＭシンボルに対する、位相シフトされたプリコーディング・マトリクスの適用例を示す。２個のＯＦＤＭシンボル（１１０２，１１０３）（たとえば、図９からのシンボル９０１および９０３）が示されており、ＯＣＣ９１０（ａ，ｂ，ｃ，ｄ）が第１のＣＤＭグループ（たとえば、ＣＤＭグループ９０２）に関連づけられ、ＯＣＣ９１０（ｅ，ｆ，ｇ，ｈ）が第２のＣＤＭグループ（たとえば、ＣＤＭグループ９０４）に関連づけられている。一態様では、プリコーディング・マトリクス１００２が２個のＯＦＤＭシンボル１１０４に適用されることができ、その結果、各基準信号ＲＥについての電力値を生じる。たとえば、プリコーディング・マトリクス（たとえば、１００２，１００４）の第１行でＯＣＣマッピングを乗算することによって得られる、第１の送信アンテナに対応する信号を考える。第１のＲＥでは、ＣＤＭグループ１についてのＯＣＣ ａ（たとえば、ａ＝１，１，１，１，０，０，０，０）に、プリコーディング・マトリクス１００２の第１行（１，１，１，１，１，１，１，１）を乗じて、第１のＴｘアンテナにおける送信信号として４の値（１１０６）を生成することができる。さらに、第２のＲＥでは、ＣＤＭグループ２についてのＯＣＣ ｅ（たとえば、ｅ＝０，０，０，０，１，１，１，１）に、プリコーディング・マトリクス１００２の第１行（１，１，１，１，１，１，１，１）を乗じて、第１のＴｘアンテナのために同じく４の値（１１０８）を生成することができる。別の態様では、プリコーディング・マトリクス１００４が２個のＯＦＤＭシンボル１１１０に適用されることができ、その結果、各基準信号ＲＥについての電力値を生じる。たとえば、第１のＲＥでは、ＣＤＭグループ１のためのＯＣＣ ａ（たとえば、ａ＝１，１，１，１，０，０，０，０）に、プリコーディング・マトリクス１００４の第１行（１，１，１，１，１，１，−１，−１）を乗じて、４の値（１１１２）を生成することができる。さらに、第２のＲＥでは、ＣＤＭグループ２のためのＯＣＣ ｅ（たとえば、ｅ＝０，０，０，０，１，１，１，１）に、プリコーディング・マトリクス１００４の第１行（１，１，１，１，１，１，−１，−１）を乗じて、０の値（１１１４）を生成することができる。
【００６１】
実施においては、位相シフトされたプリコーディング・マトリクスの適用は、異なるＯＦＤＭシンボル間で電力を均等化することができる。たとえば、ＯＦＤＭシンボルのペア１１０４の第１の列の合計１１１６は、１６の値という結果をもたらし、ＯＦＤＭシンボルのペア１１０４の第２の列の合計１１１６は、８の値という結果をもたらす。さらに、たとえば、ＯＦＤＭシンボルのペア１１１０の第１の列の合計１１１６は、１２の値という結果をもたらし、ＯＦＤＭシンボルのペア１１１０の第２の列の合計１１１６もまた、１２の値という結果をもたらす。他の送信アンテナについても、電力は、１つのＯＦＤＭシンボルあたりの２個のＲＢごとに１２に均等化されることができる。一般に、プリコーディング・マトリクスの位相回転は、すべての送信アンテナにわたるピーク電力使用を考慮することができる。
【００６２】
図１２は、基準信号に対するＯＣＣの適用例を示す。一般に、さまざまなファクタがＯＣＣ設計に影響を及ぼし得る。たとえば、ピーク電力のランダム化および高いドップラー環境におけるパフォーマンスである。ピーク電力のランダム化に関しては、すべてのシンボルに対し同一のＯＣＣが使用された場合、および、広帯域プリコーディングが用いられた場合、プリコーディング・ベクトルの同一の組み合わせが、１つのシンボルにおけるすべてのＵＥ−ＲＳ ＲＥにおいて送信され得る。そのような設計は、プリコーディング・ベクトルのいくつかの異なる組み合わせが送信されるスキームと比較したときに、大きいピーク対平均比という結果になる。高いドップラー環境のパフォーマンスに関しては、ＵＥ−ＲＳパターンが時間におけるＣＤＭを用い得るので、レイヤは、低いモビリティにおいて直交したままである（たとえば、チャネルが経時的に大きく変化しないとき）。高いドップラーにおいては（たとえば、チャネルが経時的に大きく変化するときには）、直交性は失われ得る。４以下のランクの場合、図９におけるＵＥ−ＲＳパターンでは、ＣＤＭは、（たとえば、エレメント９０８によって示されているように）連続する２つのＲＥにわたっており、したがって、（たとえば、高いドップラーに起因する）チャネルの時間変化による大きな影響を受けない。しかしながら、４を超えるランクの場合、ＣＤＭは、連続しない４つのＲＥにわたる。そのような設計は、中程度のドップラー環境においてさえ、直交性を失う結果となり得る。４を超えるランクの場合、ＵＥ−ＲＳは、一般に、中程度のドップラーを伴う環境であっても使用されない場合もあるが、それでもＯＣＣ設計は、改善された直交化を提供するのに役立ち得る。ＯＣＣ設計は、ＣＤＭグループ間でのトーン間干渉の抑制、下位互換性、等といった、設計において考慮すべき他の事項に役立つことができる。一態様では、複雑性を低く維持するために、拡散およびスクランブリング・シーケンスは、ＱＰＳＫアルファベット｛１，−１，ｊ，−ｊ｝を使用することができる。
【００６３】
レイヤ／アンテナ・ポートｎについてのＯＣＣは、２つのベクトルのクロネッカー積（Kronecker product）によって記述されることができる。たとえば、図１２は、第１のＣＤＭグループについてのＯＣＣマッピングを示している。第１のベクトルＡｎは、（表１に示すような）スクランブリング・シーケンス・マトリクスの６×１の列ベクトルであり、第２のベクトルＢｎは、（表２に示すような）拡散シーケンス・マトリクスの１×４の行ベクトルである。二次元の周波数−時間グリッドにおいてマッピングされたポートｎについてのＯＣＣは、
【数６】
0005635183.tif 000007
【００６４】
として与えられることができる。図１２において、ベクトルＡｎのエレメントは、１２０２として示されており、ベクトルＢｎのエレメントは、１２０４として示されている。１つの例示的な態様では、表１に示されたスクランブリング・シーケンスが、時間領域における不十分な直交化を有するグループ内のシーケンスのために二次元の直交性を提供することができる。
【表１】
0005635183.tif 000008
【表２】
0005635183.tif 000009
【００６５】
実施においては、拡散シーケンスの２つのグループ（たとえば、Ｇ１ ＝｛Ｂ１ ，Ｂ３ ｝とＧ２ ＝｛Ｂ２ ，Ｂ４ ｝）が使用されることができる。図９に示したようなＵＥ−ＲＳパターンの場合、時間領域における４つのＲＥにわたる拡散は、いくつかのＯＦＤＭシンボル（たとえば、図９におけるＵＥ−ＲＳパターンについて示されたように６つのＯＦＤＭシンボル）だけ隔てられた、連続するＲＥの２つのグループを含む。実施においては、チャネルの時間変化に起因する直交性の損失の結果として生じる、Ｇ１ の拡散シーケンスを用いた第１のレイヤに対するＧ２ の拡散シーケンスを用いたレイヤからの干渉は、Ｇ１ における第２のレイヤからの干渉よりも小さくなり得る。同様の状況が、グループＧ２ に関しても見られる。
【００６６】
拡散シーケンスに対するスクランブリング・シーケンスの割り当ては、時間領域における直交性の差を考慮して実行されることができる。たとえば、スクランブリング・シーケンスＡ１およびＡ２は、隣り合う任意の２つの周波数にわたって、周波数において直交であり、一方、スクランブリング・シーケンスＡ１およびＡ４は、６つの周波数にわたって分離して使用されたときに直交し得る。したがって、時間における不十分な直交化を有する、Ｂ１およびＢ３のような拡散シーケンスでのＣＤＭレイヤには、Ａ１およびＡ２が割り当てられることができる。別の態様では、Ｂ２またはＢ４のような拡散シーケンスで、時間における比較的良好な直交化を有する他のレイヤには、Ａ４が割り当てられることができる。
【００６７】
ＬＴＥのレガシー・リリースが実現される一態様では、ランク２についてのＵＥ−ＲＳパターンは、スクランブリング・シーケンスＡ１を拡散シーケンスＢ１に、スクランブリング・シーケンスＡ２を拡散シーケンスＢ２に割り当てることを含む。そのような態様において、スクランブリング・シーケンスＡ３は、拡散シーケンスＢ３に割り当てられることができ、スクランブリング・シーケンスＡ４は、拡散シーケンスＢ４に割り当てられることができる。そのような態様では、Ａ３は、Ａ４よりも、Ａ１により、より良好な周波数領域の直交化を提供することができる。周波数領域の直交化を改善するためにどのスクランブリング・シーケンス・ベクトルのペアを使用すべきかを決定する際、レイヤ（ｎ）についての第１のベクトル（たとえば、Ａ１（ｎ））と、レイヤ（ｎ）についての複素共役（たとえば、「＊」）の第２のベクトル（たとえば、＊Ａ３（ｎ））とが、ともに乗算されることができ、異なるレイヤ（ｎ＋１）のための同一の積（たとえば、Ａ１（ｎ＋１）＊Ａ３（ｎ＋１））に加算されることができる。異なるレイヤの合計がゼロに等しい場合、それらのレイヤ間には直交性が存在する。実施においては、上記処理が、Ａ１およびＡ３のペアリングと、Ａ１およびＡ４のペアリングとに適用されるときには、Ａ１およびＡ３のペアリングについての積の合計のほうが、Ａ１およびＡ４のペアリングよりも頻繁にゼロ値の結果をもたらす。そのような実現は、不十分な時間領域の直交化を被る拡散シーケンスＢ１とＢ３との間での、改善された周波数直交化を提供することができる。さらに、そのようなマッピングは、また、同じく不十分な時間領域の直交化を被る拡散シーケンスＢ２およびＢ４に、改善された周波数直交化を提供する。
【００６８】
図１３は、図２に示されたｅＮＢ２０４のような電力最適化システム１３００の詳細なブロック図を示す。電力最適化システム１３００は、任意のタイプのハードウェア、サーバ、パーソナル・コンピュータ、ミニ・コンピュータ、メインフレーム・コンピュータ、または、専用または汎用コンピューティング・デバイスのいずれかである任意のコンピューティング・デバイス、のうちの少なくとも１つを含むことができる。さらに、電力最適化システム１３００上で動作する、または電力最適化システム１３００によって実行されるものとしてここに説明されるモジュールおよびアプリケーションは、図２に示されたような単一のネットワーク・デバイス上で完全に実行されることができ、あるいは、他の態様では、別個のサーバ、データベース、またはコンピュータ・デバイスが、データを使用可能なフォーマットでパーティに提供するように、および／または、通信デバイス２０６と電力最適化システム１３００によって実行されるモジュールおよびアプリケーションとの間でのデータ・フローにおける別個の制御レイヤを提供するように、協働することができる。
【００６９】
電力最適化システム１３００は、有線および無線ネットワーク上でデータを送信および受信することができる、また、ルーチンおよびアプリケーションを実行することができる、コンピュータ・プラットフォーム１３０２を含む。コンピュータ・プラットフォーム１３０２は、読み取り専用メモリおよび／またはランダム・アクセス・メモリ（ＲＯＭおよびＲＡＭ）、ＥＰＲＯＭ、ＥＥＰＲＯＭ、フラッシュ・カード、またはコンピュータ・プラットフォームに共通の任意のメモリといった揮発性および不揮発性メモリを含み得る、メモリ１３０４を含む。さらに、メモリ１３０４は、１つまたは複数のフラッシュメモリセルを含むことができ、または、磁気媒体、光媒体、テープ、またはソフトもしくはハードディスクといった、任意の二次または三次記憶装置であることができる。さらに、コンピュータ・プラットフォーム１３０２は、また、特定用途向け集積回路（「ＡＳＩＣ」）、または他のチップセット、論理回路、もしくは他のデータ処理デバイスであることのできる、プロセッサ１３３０を含む。プロセッサ１３３０は、有線または無線ネットワーク上での電力最適化システム１３００の機能および該システムの動作を可能にする、ハードウェア、ファームウェア、ソフトウェア、およびそれらの組み合わせにおいて具現化された、さまざまな処理サブシステム１３３２を含むことができる。
【００７０】
一態様では、プロセッサ１３３０は、ＲＢのセットの少なくとも一部分に使用するための第１のプリコーディング・マトリクスを決定するための手段を提供することができる。一態様では、第１のプリコーディング・マトリクスは、ビームフォーミング・ベクトルのセットを含む。プロセッサ１３３０は、また、変更されたプリコーディング・マトリクスを生成するために、位相回転を適用することによってビームフォーミング・ベクトルのセットのうちの少なくとも１つのビームフォーミング・ベクトルを変更するための手段と、少なくとも１つのアンテナを使用する送信のために、ＲＢのセットの少なくとも一部分に関連づけられた１つまたは複数の復調基準信号およびデータに、変更されたプリコーディング・マトリクスを適用するための手段とを提供することができる。
【００７１】
コンピュータ・プラットフォーム１３０２は、さらに、電力最適化 システム１３００のさまざまなコンポーネント間での通信、ならびに、電力最適化システム１３００、デバイス２０６、およびｅＮＢ２０４の間での通信を可能にする、ハードウェア、ファームウェア、ソフトウェア、およびそれらの組み合わせにおいて具現化された、通信モジュール１３５０を含む。通信モジュール１３５０は、無線通信接続を確立するための、必要なハードウェア、ファームウェア、ソフトウェア、および／またはそれらの組み合わせを含むことができる。説明された諸態様によれば、通信モジュール１３５０は、要求されたコンテンツ・アイテムや制御情報等の無線ブロードキャスト、マルチキャスト、および／またはユニキャスト通信を容易にするために、ハードウェア、ファームウェア、および／またはソフトウェアを含むことができる。
【００７２】
コンピュータ・プラットフォーム１３０２は、さらに、特にデバイス２０６との間で通信されるデータに関する干渉レベルに対応する、デバイス２０６、ｅＮＢ２０４等から受信されるメトリックを可能にする、ハードウェア、ファームウェア、ソフトウェア、およびそれらの組み合わせにおいて具現化された、メトリック・モジュール１３４０を含む。一態様では、電力最適化システム１３００は、デバイス２０６との今後の通信のために考えられる電力最適化スキームを変更するために、メトリック・モジュール１３４０を通じて受信されたデータを分析することができる。一態様では、メトリック・モジュール１３４０は、プリコーディング・マトリクス１３１２の変更に役立てるために、チャネル情報を測定することができる。そのような態様では、メトリック・モジュール１３４０は、１つまたは複数のデバイス２０６からのチャネル品質インジケータ（ＣＱＩ）フィードバック、１つまたは複数のデバイス２０６からのプリコーディング・マトリクス・インデクス（ＰＭＩ）フィードバック、チャネル測定値、等を含むが、これらに限定されない情報を測定することができる。
【００７３】
電力最適化システム１３００のメモリ１３０４は、ＯＦＤＭシンボルを送信するために使用される送信電力の均等化を容易にするために動作可能なシンボル電力均等化モジュール１３１０を含む。一態様では、シンボル電力均等化モジュール１３１０は、１つまたは複数のプリコーディング・マトリクス１３１２と１つまたは複数のＯＣＣスキーム１３１４とを含むことができる。一態様では、シンボル電力均等化モジュール１３１０は、ＯＦＤＭシンボル間での送信電力の配分を最適化するために、プリコーディング・マトリクス１３１２を変更することができる。そのような態様では、プリコーディング・マトリクスを構成するために使用されたさまざまなビームフォーミング・ベクトルに、位相シフトが適用され得る。たとえば、最後の２列（たとえば、ビームフォーミング・ベクトル）に、−１といった係数が乗算されることができる。実施においては、図１１に関して上述したように、プリコーディング・マトリクスにおける最後の２つのベクトルに−１を乗算することは、ＯＦＤＭシンボルにわたって送信電力を均等化することができる。一態様では、プリコーディング・マトリクスは、メモリ１３０４に記憶されることができる。別の態様では、シンボル電力均等化モジュール１３１０は、ＯＦＤＭシンボル間での送信電力の配分を最適化するように、ＯＣＣスキーム１３１４を変更することができる。図１２に関して上述したように、さまざまなＯＣＣマッピング・スキームが、不十分な直交化の状況において使用されることができる。
【００７４】
図１４は、無線通信方法のフローチャート１４００である。この方法により、さまざまなＵＥ（たとえば、ＵＥ８０４）に関連づけられたチャネル情報が無線ネットワーク（たとえば、８００）において得られることが可能となり得る（１４０２）。一態様では、得られた情報は、１つまたは複数のＵＥからのＣＱＩフィードバック、１つまたは複数のＵＥからのＰＭＩフィードバック、またはｅＮＢによって検出されたチャネル測定値、等を含むことができるが、これらに限定されるものではない。さらに、この方法は、リソース・ブロック（ＲＢ）のセットの少なくとも一部分に使用するための第１のプリコーディング・マトリクスを決定することを含む（１４０４）。一態様では、第１のプリコーディング・マトリクスは、ビームフォーミング・ベクトルのセットを含むことができる。一態様では、プリコーディング・マトリクスは、ｅＮＢに関連づけられたデータベースから得られることができる。さらに、該方法は、変更されたプリコーディング・マトリクスを生成するために、位相回転を適用することによってビームフォーミング・ベクトルのセットのうちの少なくとも１つのビームフォーミング・ベクトルを変更することを含む（１４０６）。一態様において、プリコーディング・マトリクスは、２つ以上のＯＦＤＭシンボルにわたる送信電力のばらつきを減じるように位相回転を選択することによって変更されることができる。別の態様では、ＯＦＤＭシンボルは、復調基準信号を伝達するために使用されることができる。
【００７５】
さらに、該方法は、少なくとも１つのアンテナを使用する送信のために、上記ＲＢのセットの少なくとも一部分に関連づけられた１つまたは複数の復調基準信号およびデータに、変更されたプリコーディング・マトリクスを適用することを含む（１４０８）。一態様では、ＲＢは、バンドルにされることができる。バンドルにされたＲＢは、あるデバイス（たとえば、ＵＥ８０４）にデータを送信するために使用されているＲＢのセットであり、ここで、該デバイスは、上記ＲＢのバンドルのために同一のプリコーディング・マトリクスが使用されていると見なす。一態様では、バンドルにされたＲＢは、比較的互いに近い場所にあることができる。そのような態様では、ＲＢの場所は決定されることができ、それらＲＢは、バンドリングしきい値を下回るＲＢの場所間の相対的な距離に基づいて、バンドルのために選択されることができる。さらに、バンドリングしきい値は、そのＲＢからいくつのＲＢ離れたものが、同一のＲＢバンドル内にあり得るか、そして依然として同一のＲＢバンドル内にあるように選択され得るかを定義することができる。一態様では、２つのＲＢよりも遠く離れたＲＢは、同一のバンドル内に含まれることができない。別の態様では、適用可能な無線プロトコルのための通信プロトコルを定義する標準が、どのＲＢがバンドルにされ得るかを定義することができる。実施において、バンドリングは、デバイスがバンドル内のＲＢをまたぐチャネルを同時に（jointly）推定できるようにするので、チャネル推定のパフォーマンスを改善する。別の態様では、２つ以上の復調基準信号が、２つ以上のＣＤＭグループへとグループ化されることができる。そのような態様では、異なるＯＣＣが異なるＣＤＭグループに適用されることができる。
【００７６】
さらに、該方法は、復調基準信号およびデータを送信することを含み得る（１４１０）。一態様では、送信状況が基準信号間での不十分な時間領域直交化をもたらす場合、基準信号に関連づけられた拡散シーケンスは、そのような不十分な直交化の影響を減じるように選択されることができる。言い換えれば、時間領域において間隔を空けている基準信号が、ＵＥの高いモビリティ等のさまざまな状況に起因して不十分な直交化を被る場合、周波数領域における拡散シーケンスが、時間領域におけるチャネルの変化に起因する影響を減じるために基準信号をグループ化するように選択されることができる。
【００７７】
図１５は、無線通信方法のフローチャート１５００である。該方法は、１つまたは複数のスクランブリング・シーケンス・ベクトル・ペアについて周波数領域の直交性が決定されることを可能にし得る（１５０２）。一態様では、１つまたは複数のスクランブリング・シーケンス・ベクトル・ペアは、表１に関して説明されたようなスクランブリング・シーケンス・マトリクスに関連づけられることができる。該方法は、また、１つまたは複数の拡散シーケンス・ベクトル・ペアについて時間領域の直交性が決定されることを可能にし得る（１５０４）。一態様では、１つまたは複数の拡散シーケンス・ベクトル・ペアは、表２に関して説明されたような拡散シーケンス・マトリクスに関連づけられることができる。該方法は、さらに、決定された高い直交性を有するスクランブリング・シーケンス・ベクトル・ペアを、決定されたより低い直交性を有する拡散シーケンス・ベクトル・ペアに割り当てることによって、ＯＣＣマトリクスが生成されることを可能にし得る（１５０６）。たとえば、表１および２を参照すると、スクランブリング・シーケンス・ベクトルＡ１およびＡ２は、拡散シーケンス・ベクトルＢ１およびＢ３に割り当てられることができる。別の態様では、Ａ１がＢ１に割り当てられ、Ａ２がＢ２に割り当てられる場合、Ａ３は、Ｂ３に割り当てられることができ、Ａ４は、Ｂ４に割り当てられることができる。
【００７８】
図１６は、例示的な装置１００の機能を示す概念的なブロック図１６００ である。装置１００は、リソース・ブロック（ＲＢ）のセットの少なくとも一部分に使用するための第１のプリコーディング・マトリクスを選択するモジュール１６０２であって、第１のプリコーディング・マトリクスはビームフォーミング・ベクトルのセットを備える、モジュール１６０２と、変更されたプリコーディング・マトリクスを生成するために、位相回転を適用することによってビームフォーミング・ベクトルのセットのうちの少なくとも１つのビームフォーミング・ベクトルを変更するモジュール１６０４と、少なくとも１つのアンテナを使用する送信のために、ＲＢのセットの少なくとも一部分に関連づけられた１つまたは複数の復調基準信号およびデータに、変更されたプリコーディング・マトリクスを適用するモジュール１６０６と、を含む。装置１００は、上記フローチャート内の諸ステップの各々を実行する追加のモジュールを含むことができる。したがって、上記フローチャートの各ステップは、モジュールによって実行されることができ、装置１００は、それらのモジュールのうちの１つ以上を含むことができる。
【００７９】
図１７は、例示的な装置１００の機能を示す概念的なブロック図１７００ である。装置１００は、高い周波数領域直交化レベルを有するスクランブリング・シーケンス・マトリクスに関連づけられたスクランブリング・シーケンス・ベクトル・ペアを決定するモジュール１７０２と、低い時間領域直交化レベルを有する拡散シーケンス・マトリクスに関連づけられた拡散シーケンス・ベクトル・ペアを決定するモジュール１７０４と、決定されたスクランブリング・シーケンス・ベクトル・ペアを決定された拡散シーケンス・ベクトル・ペアに割り当てることによって、ＯＣＣマトリクスを生成するモジュール１７０６と、を含む。装置１００は、上記フローチャート内の諸ステップの各々を実行する追加のモジュールを含むことができる。したがって、上記フローチャートの各ステップは、モジュールによって実行されることができ、装置１００は、それらのモジュールのうちの１つ以上を含むことができる。
【００８０】
開示された処理におけるステップの特定の順序または階層は、例示的なアプローチの一例であるということが理解されるべきである。設計の優先性に基づいて、これらの処理におけるステップの特定の順序または階層が並べ替えられ得るということが理解されるべきである。添付の、方法に関する請求項は、例示的な順序でさまざまなステップのエレメントを提示しているが、提示された特定の順序または階層に限定されることを意図していない。
【００８１】
上記説明は、本明細書に説明されたさまざまな態様を当業者が実施できるようにするために提供されている。これらの態様に対するさまざまな変更は、当業者に容易に理解されるであろうし、ここで定義された一般的な原理は、他の態様に適用され得る。したがって、特許請求の範囲は、ここに示された態様に限定されることを意図したものではなく、特許請求の範囲における文言と矛盾しない最も広い範囲が付与されるべきである。
以下に、本願の出願当初請求項に記載された発明を付記する。
［Ｃ１］
無線通信方法であって、
リソース・ブロック（ＲＢ）のセットの一部分に使用するための第１のプリコーディング・マトリクスを決定することであって、前記第１のプリコーディング・マトリクスはビームフォーミング・ベクトルのセットを含む、決定することと、
変更されたプリコーディング・マトリクスを生成するために、位相回転を適用することによって前記ビームフォーミング・ベクトルのセットのうちの少なくとも１つのビームフォーミング・ベクトルを変更することと、
少なくとも１つのアンテナを使用する送信のために、前記ＲＢのセットの一部分に関連づけられた１つまたは複数の復調基準信号およびデータに、前記変更されたプリコーディング・マトリクスを適用することと
を備える方法。
［Ｃ２］
前記少なくとも１つのアンテナを使用して前記１つまたは複数の復調基準信号および前記データを送信することをさらに含む、上記Ｃ１に記載の方法。
［Ｃ３］
前記決定することはさらに、基地局に関連づけられたデータベースから前記プリコーディング・マトリクスを得ることを含む、上記Ｃ１に記載の方法。
［Ｃ４］
１つまたは複数のユーザ機器（ＵＥ）からのチャネル品質インジケータ（ＣＱＩ）フィードバックと、１つまたは複数のＵＥからのプリコーディング・マトリクス・インデクス（ＰＭＩ）フィードバックと、基地局によって検出されたチャネル測定値と、のうちの少なくとも１つのための情報を得ることと、
前記得られた情報に基づいて、前記プリコーディング・マトリクスを決定することと
をさらに含む、上記Ｃ１に記載の方法。
［Ｃ５］
前記変更することはさらに、２つ以上の直交周波数領域変調（ＯＦＤＭ）シンボルにわたる送信電力のばらつきを減じるように前記位相回転を選択することを含む、上記Ｃ１に記載の方法。
［Ｃ６］
前記２つ以上のＯＦＤＭシンボルの各々は、前記１つまたは複数の復調基準信号のうちの１つを伝達するために使用される、上記Ｃ５に記載の方法。
［Ｃ７］
前記適用することはさらに、
第１のバンドリング・グループおよび第２のバンドリング・グループを生成することであって、前記第１のバンドリング・グループおよび前記第２のバンドリング・グループは前記ＲＢのセットのうちのＲＢの異なるサブセットを含む、生成することと、
前記第１のバンドリング・グループに前記変更されたプリコーディング・マトリクスを適用し、前記第２のバンドリング・グループに前記第１のプリコーディング・マトリクスを適用することと
を含む、上記Ｃ１に記載の方法。
［Ｃ８］
前記第１のバンドリング・グループおよび前記第２のバンドリング・グループをユーザ機器（ＵＥ）に送信することをさらに含み、ここにおいて、前記ＵＥは、前記第１のバンドリング・グループおよび前記第２のバンドリング・グループの各々にわたる同時チャネル推定を実行することが可能である、上記Ｃ７に記載の方法。
［Ｃ９］
無線通信方法であって、
高い周波数領域直交化レベルを有するスクランブリング・シーケンス・マトリクスに関連づけられたスクランブリング・シーケンス・ベクトル・ペアを決定することと、
低い時間領域直交化レベルを有する拡散シーケンス・マトリクスに関連づけられた拡散シーケンス・ベクトル・ペアを決定することと、
前記決定されたスクランブリング・シーケンス・ベクトル・ペアを前記決定された拡散シーケンス・ベクトル・ペアに割り当てることによって、直交カバー符号（ＯＣＣ）マトリクスを生成することと
を備える方法。
［Ｃ１０］
無線通信のための装置であって、
リソース・ブロック（ＲＢ）のセットの一部分に使用するための第１のプリコーディング・マトリクスを決定するための手段であって、前記第１のプリコーディング・マトリクスはビームフォーミング・ベクトルのセットを含む、手段と、
変更されたプリコーディング・マトリクスを生成するために、位相回転を適用することによって前記ビームフォーミング・ベクトルのセットのうちの少なくとも１つのビームフォーミング・ベクトルを変更するための手段と、
少なくとも１つのアンテナを使用する送信のために、前記ＲＢのセットの一部分に関連づけられた１つまたは複数の復調基準信号およびデータに、前記変更されたプリコーディング・マトリクスを適用するための手段と
を備える装置。
［Ｃ１１］
前記少なくとも１つのアンテナを使用して前記１つまたは複数の復調基準信号および前記データを送信するための手段をさらに含む、上記Ｃ１０に記載の装置。
［Ｃ１２］
前記選択するための手段はさらに、基地局に関連づけられたデータベースから前記プリコーディング・マトリクスを得るための手段を含む、上記Ｃ１０に記載の装置。
［Ｃ１３］
１つまたは複数のユーザ機器（ＵＥ）からのＣＱＩフィードバックと、１つまたは複数のＵＥからのＰＭＩフィードバックと、基地局によって検出されたチャネル測定値と、のうちの少なくとも１つのための情報を得るための手段と、
前記得られた情報に基づいて、前記プリコーディング・マトリクスを決定するための手段と
をさらに含む、上記Ｃ１０に記載の装置。
［Ｃ１４］
前記変更するための手段はさらに、２つ以上のＯＦＤＭシンボルにわたる送信電力のばらつきを減じるように前記位相回転を選択するための手段を含む、上記Ｃ１０に記載の装置。
［Ｃ１５］
前記２つ以上のＯＦＤＭシンボルの各々は、前記１つまたは複数の復調基準信号のうちの１つを伝達するために使用される、上記Ｃ１４に記載の装置。
［Ｃ１６］
前記適用するための手段はさらに、
第１のバンドリング・グループおよび第２のバンドリング・グループを生成するための手段であって、前記第１のバンドリング・グループおよび前記第２のバンドリング・グループは前記ＲＢのセットのうちのＲＢの異なるサブセットを含む、手段と、
前記第１のバンドリング・グループに前記変更されたプリコーディング・マトリクスを適用し、前記第２のバンドリング・グループに前記第１のプリコーディング・マトリクスを適用するための手段と
を含む、上記Ｃ１０に記載の装置。
［Ｃ１７］
前記第１のバンドリング・グループおよび前記第２のバンドリング・グループをユーザ機器（ＵＥ）に送信するための手段をさらに含み、ここにおいて、前記ＵＥは、前記第１のバンドリング・グループおよび前記第２のバンドリング・グループの各々にわたる同時チャネル推定を実行することが可能である、上記Ｃ１６に記載の装置。
［Ｃ１８］
無線通信のための装置であって、
高い周波数領域直交化レベルを有するスクランブリング・シーケンス・マトリクスに関連づけられたスクランブリング・シーケンス・ベクトル・ペアを決定するための手段と、
低い時間領域直交化レベルを有する拡散シーケンス・マトリクスに関連づけられた拡散シーケンス・ベクトル・ペアを決定するための手段と、
前記決定されたスクランブリング・シーケンス・ベクトル・ペアを前記決定された拡散シーケンス・ベクトル・ペアに割り当てることによって、直交カバー符号（ＯＣＣ）マトリクスを生成するための手段と
を備える装置。
［Ｃ１９］
コンピュータ読取可能な記憶媒体を備えるコンピュータ・プログラム製品であって、前記コンピュータ読取可能な媒体は、
コンピュータに、リソース・ブロック（ＲＢ）のセットの一部分に使用するための第１のプリコーディング・マトリクスを決定させるための命令であって、前記第１のプリコーディング・マトリクスはビームフォーミング・ベクトルのセットを含む、命令と、
前記コンピュータに、変更されたプリコーディング・マトリクスを生成するために、位相回転を適用することによって前記ビームフォーミング・ベクトルのセットのうちの少なくとも１つのビームフォーミング・ベクトルを変更させるための命令と、
前記コンピュータに、少なくとも１つのアンテナを使用する送信のために、前記ＲＢのセットの一部分に関連づけられた１つまたは複数の復調基準信号およびデータに、前記変更されたプリコーディング・マトリクスを適用させるための命令と
を備える、コンピュータ・プログラム製品。
［Ｃ２０］
前記コンピュータ読取可能な媒体はさらに、前記コンピュータに、前記少なくとも１つのアンテナを使用して前記１つまたは複数の復調基準信号および前記データを送信させるための命令を含む、上記Ｃ１９に記載のコンピュータ・プログラム製品。
［Ｃ２１］
前記コンピュータ読取可能な媒体はさらに、前記コンピュータに、基地局に関連づけられたデータベースから前記プリコーディング・マトリクスを得させるための命令を含む、上記Ｃ１９に記載のコンピュータ・プログラム製品。
［Ｃ２２］
前記コンピュータ読取可能な媒体はさらに、
前記コンピュータに、１つまたは複数のユーザ機器（ＵＥ）からのＣＱＩフィードバックと、１つまたは複数のＵＥからのＰＭＩフィードバックと、基地局によって検出されたチャネル測定値と、のうちの少なくとも１つのための情報を得させるための命令と、
前記コンピュータに、前記得られた情報に基づいて、前記プリコーディング・マトリクスを決定させるための命令と
を含む、上記Ｃ１９に記載のコンピュータ・プログラム製品。
［Ｃ２３］
前記コンピュータ読取可能な媒体はさらに、前記コンピュータに、２つ以上のＯＦＤＭシンボルにわたる送信電力のばらつきを減じるように前記位相回転を選択させるための命令を含む、上記Ｃ１９に記載のコンピュータ・プログラム製品。
［Ｃ２４］
前記２つ以上のＯＦＤＭシンボルの各々は、前記１つまたは複数の復調基準信号のうちの１つを伝達するために使用される、上記Ｃ２３に記載のコンピュータ・プログラム製品。
［Ｃ２５］
前記コンピュータ読取可能な媒体はさらに、
前記コンピュータに、第１のバンドリング・グループおよび第２のバンドリング・グループを生成させるための命令であって、前記第１のバンドリング・グループおよび前記第２のバンドリング・グループは前記ＲＢのセットのうちのＲＢの異なるサブセットを含む、命令と、
前記コンピュータに、前記第１のバンドリング・グループに前記変更されたプリコーディング・マトリクスを適用させ、前記第２のバンドリング・グループに前記第１のプリコーディング・マトリクスを適用させるための命令と
を含む、上記Ｃ１９に記載のコンピュータ・プログラム製品。
［Ｃ２６］
前記コンピュータ読取可能な媒体はさらに、前記コンピュータに、前記第１のバンドリング・グループおよび前記第２のバンドリング・グループをユーザ機器（ＵＥ）に送信させるための命令を含み、ここにおいて、前記ＵＥは、前記第１のバンドリング・グループおよび前記第２のバンドリング・グループの各々にわたる同時チャネル推定を実行することが可能である、上記Ｃ２５に記載のコンピュータ・プログラム製品。
［Ｃ２７］
コンピュータ読取可能な記憶媒体を備えるコンピュータ・プログラム製品であって、前記コンピュータ読取可能な媒体は、
コンピュータに、高い周波数領域直交化レベルを有するスクランブリング・シーケンス・マトリクスに関連づけられたスクランブリング・シーケンス・ベクトル・ペアを決定させるための命令と、
前記コンピュータに、低い時間領域直交化レベルを有する拡散シーケンス・マトリクスに関連づけられた拡散シーケンス・ベクトル・ペアを決定させるための命令と、
前記コンピュータに、前記決定されたスクランブリング・シーケンス・ベクトル・ペアを前記決定された拡散シーケンス・ベクトル・ペアに割り当てることによって、直交カバー符号（ＯＣＣ）マトリクスを生成させるための命令と
を備える、コンピュータ・プログラム製品。
［Ｃ２８］
無線通信のための装置であって、
少なくとも１つのプロセッサであって、
リソース・ブロック（ＲＢ）のセットの一部分に使用するための第１のプリコーディング・マトリクスを決定し、ここにおいて、前記第１のプリコーディング・マトリクスは、ビームフォーミング・ベクトルのセットを含む、
変更されたプリコーディング・マトリクスを生成するために、位相回転を適用することによって前記ビームフォーミング・ベクトルのセットのうちの少なくとも１つのビームフォーミング・ベクトルを変更し、
少なくとも１つのアンテナを使用する送信のために、前記ＲＢのセットの一部分に関連づけられた１つまたは複数の復調基準信号およびデータに、前記変更されたプリコーディング・マトリクスを適用する
ように構成された少なくとも１つのプロセッサと、
前記少なくとも１つのプロセッサに結合されたメモリと
を備える装置。
［Ｃ２９］
前記少なくとも１つのプロセッサはさらに、前記少なくとも１つのアンテナを使用して前記１つまたは複数の復調基準信号および前記データを送信するように構成される、上記Ｃ２８に記載の装置。
［Ｃ３０］
前記少なくとも１つのプロセッサはさらに、基地局に関連づけられたデータベースから前記プリコーディング・マトリクスを得るように構成される、上記Ｃ２８に記載の装置。
［Ｃ３１］
前記少なくとも１つのプロセッサはさらに、
１つまたは複数のユーザ機器（ＵＥ）からのＣＱＩフィードバックと、１つまたは複数のＵＥからのＰＭＩフィードバックと、基地局によって検出されたチャネル測定値と、のうちの少なくとも１つのための情報を得て、
前記得られた情報に基づいて、前記プリコーディング・マトリクスを決定する
ように構成される、上記Ｃ２８に記載の装置。
［Ｃ３２］
前記少なくとも１つのプロセッサはさらに、２つ以上のＯＦＤＭシンボルにわたる送信電力のばらつきを減じるように前記位相回転を選択するように構成される、上記Ｃ２８に記載の装置。
［Ｃ３３］
前記２つ以上のＯＦＤＭシンボルの各々は、前記１つまたは複数の復調基準信号のうちの１つを伝達するために使用される、上記Ｃ３２に記載の装置。
［Ｃ３４］
前記少なくとも１つのプロセッサはさらに、
第１のバンドリング・グループおよび第２のバンドリング・グループを生成し、ここにおいて、前記第１のバンドリング・グループおよび前記第２のバンドリング・グループは、前記ＲＢのセットのうちのＲＢの異なるサブセットを含む、
前記第１のバンドリング・グループに前記変更されたプリコーディング・マトリクスを適用し、前記第２のバンドリング・グループに前記第１のプリコーディング・マトリクスを適用する
ように構成される、上記Ｃ２８に記載の装置。
［Ｃ３５］
前記少なくとも１つのプロセッサはさらに、前記第１のバンドリング・グループおよび前記第２のバンドリング・グループをユーザ機器（ＵＥ）に送信するように構成され、ここにおいて、前記ＵＥは、前記第１のバンドリング・グループおよび前記第２のバンドリング・グループの各々にわたる同時チャネル推定を実行することが可能である、上記Ｃ３４に記載の装置。
［Ｃ３６］
無線通信のための装置であって、
少なくとも１つのプロセッサであって、
高い周波数領域直交化レベルを有するスクランブリング・シーケンス・マトリクスに関連づけられたスクランブリング・シーケンス・ベクトル・ペアを決定し、
低い時間領域直交化レベルを有する拡散シーケンス・マトリクスに関連づけられた拡散シーケンス・ベクトル・ペアを決定し、
前記決定されたスクランブリング・シーケンス・ベクトル・ペアを前記決定された拡散シーケンス・ベクトル・ペアに割り当てることによって、直交カバー符号（ＯＣＣ）マトリクスを生成する
ように構成された少なくとも１つのプロセッサと、
前記少なくとも１つのプロセッサに結合されたメモリと
を備える装置。
【図１】
0005635183.tif 000010
【図２】
0005635183.tif 000011
【図３】
0005635183.tif 000012
【図４】
0005635183.tif 000013
【図５】
0005635183.tif 000014
【図６】
0005635183.tif 000015
【図７】
0005635183.tif 000016
【図８】
0005635183.tif 000017
【図９】
0005635183.tif 000018
【図１０】
0005635183.tif 000019
【図１１】
0005635183.tif 000020
【図１２】
0005635183.tif 000021
【図１３】
0005635183.tif 000022
【図１４】
0005635183.tif 000023
【図１５】
0005635183.tif 000024
【図１６】
0005635183.tif 000025
【図１７】
0005635183.tif 000026